(57)【要約】【課題】正確なドット着弾位置補正値を取得して、製造する表示装置の表示品質を保持する。【解決手段】遮光部としての隔壁４形成領域と、該隔壁４形成領域によって区画される光透過部としての着色膜５形成領域と、を備え、着色膜５形成領域が所定方向および該所定方向と交差する交差方向に複数並んで形成された表示装置としてのカラーフィルター１であって、着色膜５形成領域の周縁部近傍である隔壁４形成領域に、略矩形の着色膜５形成領域の外形の各辺の長さを複数段階に分けて表示する目盛り９０が設けられたことを特徴とするカラーフィルター１（カラーフィルター１用の基板２）。【選択図】図２
2014052514.tif 000002
【特許請求の範囲】
【請求項１】
遮光部と、
前記遮光部によって区画される光透過部と、を備え、
前記光透過部が所定方向および該所定方向と交差する交差方向に複数並んで形成された表示装置であって、
前記光透過部の周縁部近傍に、前記光透過部の前記所定方向および前記交差方向のうち少なくとも一方の長さを複数段階に分けて表示する目盛りが設けられたことを特徴とする表示装置。
【請求項２】
請求項１に記載の表示装置において、
前記目盛りが、前記遮光部に形成されたことを特徴とする表示装置。
【請求項３】
請求項１に記載の表示装置において、
前記目盛りが、当該表示装置の所望の表示品質を損ねない大きさで前記光透過部に設けられたことを特徴とする表示装置。
【請求項４】
請求項１に記載の表示装置において、
前記目盛りが、前記光透過部の外形形状の非直線的な変化により形成されていることを特徴とする表示装置。
【請求項５】
遮光部と、前記遮光部によって区画される光透過部と、を備え、前記光透過部が所定方向および該所定方向と交差する交差方向に複数並んで形成され、前記光透過部の周縁部近傍に、前記光透過部の前記所定方向および前記交差方向のうち少なくとも一方の長さを複数段階に分けて表示する目盛りが設けられた表示装置を、液滴吐出装置を用いて製造する表示装置の製造方法であって、
前記光透過部に液体を吐出して確認用ドットを形成する確認用ドット形成ステップと、
前記確認用ドットの着弾位置と、所定の適正ドット着弾位置とのずれ量を、前記目盛りを用いて定量的に検知するずれ量検知ステップと、
前記ずれ量検知ステップで検知した前記ずれ量に基づいて、前記確認用ドットの着弾位置を前記所定の適正ドット着弾位置に補正する補正値を取得する補正値取得ステップと、
前記補正値を前記液滴吐出装置にフィードバックする補正制御ステップと、を含むことを特徴とする表示装置の製造方法。
【発明の詳細な説明】
【技術分野】
【０００１】
本発明は、表示装置、及び、その製造方法に関する。
【背景技術】
【０００２】
機能液を液滴にして吐出するインクジェット法を用いて塗布し、塗布された機能液を固化して膜を形成する方法が広く採用されている。そして、機能液には染料や顔料を含んで着色する機能を有する液状体や、金属粒子を含んで金属配線を形成する機能を有する液状体等の多種類の液状体が用いられている。
【０００３】
カラーフィルターの製造においては、マトリクス状に区画された領域を着色する機能液が塗布される。このとき、カラーフィルターが透過する光の色調の品質を良くするためには機能液の量を品質よく塗布する必要がある。
【０００４】
インクジェット法を用いて基板に機能液を塗布する液滴吐出装置が特許文献１に開示されている。液滴吐出装置は液滴吐出ヘッドを備え、液滴吐出ヘッドには液滴を吐出する複数のノズルが形成されている。液滴吐出ヘッドには各ノズルと連通するキャビティとキャビティの体積を増減させる振動子が設置されている。そして、振動子がキャビティの体積を増減させることにより、キャビティに充填された液状体が液滴となってノズルから吐出される。
【０００５】
液滴吐出装置はワークを移動させるワーク移動機構と液滴吐出ヘッドを移動させるヘッド移動機構とを備えている。このワークと液滴吐出ヘッドとは直交する方向に移動する。そして、機能液を塗布する場所と対向する場所に液滴吐出ヘッドが位置するときに、液滴吐出ヘッドから液滴を吐出する。これにより、所定の位置に液滴を着弾させてワークに所定のパターンを描画していた。
【先行技術文献】
【特許文献】
【０００６】
【特許文献１】特開２００８−９４０４４号公報
【発明の概要】
【発明が解決しようとする課題】
【０００７】
しかしながら、インクジェット法を用いてカラーフィルターを形成するとき、液滴吐出ヘッドのノズル形成面が機能液で汚れてそれが固化したり、その他の異物が付着したりすることなどにより、ノズルから吐出する機能液の軌道を変化させ、ワーク上の液滴の着弾位置が所定の適正着弾位置からずれる虞があった。これにより、カラーフィルターの着色部の色合いが不均一になったり、望まない色との混色が生じてカラーフィルターの表示品質を劣化させる虞があった。
【課題を解決するための手段】
【０００８】
本発明は、上述の課題の少なくとも一部を解決するためになされたものであり、以下の形態または適用例として実現することが可能である。
【０００９】
［適用例１］本適用例に係る表示装置は、遮光部と、前記遮光部によって区画される光透過部と、を備え、前記光透過部が所定方向および該所定方向と交差する交差方向に複数並んで形成された表示装置であって、前記光透過部の周縁部近傍に、前記光透過部の前記所定方向および前記交差方向のうち少なくとも一方の長さを複数段階に分けて表示する目盛りが設けられたことを特徴とする。
【００１０】
本発明の表示装置は、表示装置の基板に対して液滴吐出ヘッドから液体を吐出する液滴吐出装置を用いて製造される表示装置を対象としている。
本適用例によれば、表示装置そのものの光透過部の周縁部近傍に目盛りが設けられているので、液滴吐出装置の液滴吐出ヘッドから表示装置の光透過部に液体を吐出させて確認用ドットを形成し、その確認用ドットの着弾位置と、所定の適正着弾位置とのずれ量を目盛りを用いて定量的に把握して、ずれ量を補正し得る補正値を液滴吐出装置にフィードバックすることができる。
したがって、テスト印刷用のダミー基板を別に用意することなく、また、基板にテスト印刷領域を設けることなく、液滴吐出ヘッドからの液体の着弾位置を所定の適正位置に補正することができるので、効率的な製造方法により安定した表示品質を有する表示装置を提供することができる。
【００１１】
［適用例２］上記適用例に記載の表示装置において、前記目盛りが、前記遮光部に形成されたことを特徴とする。
【００１２】
本適用例によれば、遮光部は表示装置の実質的な表示品質には影響しないので、表示品質を劣化させることなく、目盛りを用いた液体の着弾位置の補正をすることが可能な表示装置とすることができる。
【００１３】
［適用例３］上記適用例に記載の表示装置において、前記目盛りが、当該表示装置の所望の表示品質を損ねない大きさで前記光透過部に設けられたことを特徴とする。
【００１４】
本適用例によれば、例えば、表示装置としてのカラーフィルターの場合のように、遮光部となる隔壁（バンク）に撥液処理を有している場合などに、密着力が確保された目盛りを形成することができる。
【００１５】
［適用例４］上記適用例に記載の表示装置において、前記目盛りが、前記光透過部の外形形状の非直線的な変化により形成されていることを特徴とする。
【００１６】
本適用例によれば、インクや金属薄膜、あるいは罫書きするなどの加工を別に施すことなく、光透過部の外形形状の変化を目盛りとして、液体の着弾位置の補正に利用することができる。
【００１７】
［適用例５］本適用例の表示装置の製造方法は、遮光部と、前記遮光部によって区画される光透過部と、を備え、前記光透過部が所定方向および該所定方向と交差する交差方向に複数並んで形成され、前記光透過部の周縁部近傍に、前記光透過部の前記所定方向および前記交差方向のうち少なくとも一方の長さを複数段階に分けて表示する目盛りが設けられた表示装置を、液滴吐出装置を用いて製造する表示装置の製造方法であって、前記光透過部に液体を吐出して確認用ドットを形成する確認用ドット形成ステップと、前記確認用ドットの着弾位置と、所定の適正ドット着弾位置とのずれ量を、前記目盛りを用いて定量的に検知するずれ量検知ステップと、前記ずれ量検知ステップで検知した前記ずれ量に基づいて、前記確認用ドットの着弾位置を前記所定の適正ドット着弾位置に補正する補正値を取得する補正値取得ステップと、前記補正値を前記液滴吐出装置にフィードバックする補正制御ステップと、を含むことを特徴とする。
【００１８】
本適用例によれば、液滴吐出装置の液滴吐出ヘッドから表示装置の光透過部に液体を吐出させて確認用ドットを形成し、その確認用ドットの着弾位置と、所定の適正着弾位置とのずれ量を、表示装置そのものに設けられた目盛りを用いて定量的に検知することができ、検知した着弾位置のずれ量を補正し得る補正値を取得して液滴吐出装置にフィードバックすることができる。
したがって、テスト印刷用のダミー基板を別に用意することなく、また、基板にテスト印刷領域を設けることなく、液滴吐出ヘッドからの液体の着弾位置を所定の適正位置に精度よく補正することが可能になるので、安定した表示品質を有する表示装置を効率的に製造することが可能な表示装置の製造方法を提供することができる。
【図面の簡単な説明】
【００１９】
【図１】第１の実施形態に係る表示装置の一部としてのカラーフィルターを示す模式平面図。
【図２】（ａ）は、図１のＤ部を拡大して示す模式平面図、（ｂ）は、図１のＡ−Ａ’線断面図。
【図３】第１の実施形態のカラーフィルターの製造方法に係る液滴吐出装置の構成を示すものであり、（ａ）は、液滴吐出装置の全体の構成を示す概略斜視図、（ｂ）は、液滴吐出ヘッドの配置を示す模式平面図、（ｃ）は、液滴吐出ヘッドの構造を説明するための要部模式断面図。
【図４】液滴吐出装置の電気制御ブロック図。
【図５】基板に液滴を吐出してカラーフィルターを製造する製造工程を示すフローチャート。
【図６】第２の実施形態に係るカラーフィルターの一部（図２と同じ部分）を拡大して示す模式平面図。
【図７】第３の実施形態に係るカラーフィルターの一部（図２、図６と同じ部分）を拡大して示す模式平面図。
【発明を実施するための形態】
【００２０】
以下、本発明を具体化した実施形態について図面に従って説明する。尚、各図面における各部材は、各図面上で認識可能な程度の大きさとするため、各部材毎に縮尺を異ならせて図示している。
【００２１】
（第１の実施形態）
本実施形態における液滴吐出装置の例と、この液滴吐出装置を用いて液滴を吐出して形成する表示装置としてのカラーフィルター、および、カラーフィルターを形成する特徴的な製造方法の例とについて図面に沿って説明する。
【００２２】
（カラーフィルター）
最初に、カラーフィルター１について図１を用いて説明する。図１は、カラーフィルターの一実施形態を示す模式平面図である。また、図２（ａ）は、図１のカラーフィルターのＤ部を拡大して示す模式平面図、（ｂ）は、図１のＡ−Ａ’線に沿う模式断面図である。
カラーフィルター１は、液晶テレビ等の表示装置に用いられ、画像信号に応じた輝度分布をもつ白色光をカラーフィルター１に通過させることにより、カラー画像を形成する。図１に示すように、カラーフィルター１は基材としての基板２を備えている。この基板２は光透過性があり、張力に対して破れ難い強度があればよく、ガラス板、プラスチック板、プラスチックシート等を用いることができる。本実施形態においては、例えば、ガラス板を採用している。基板２の上面には着色素子３が縦横並んで配列して形成されている。そして、着色素子３は赤、青、緑色の着色素子３により構成され、各色の着色素子３が列毎に配列して配置されている。図１（ａ）において、上から赤色素子列３ａ、青色素子列３ｂ、緑色素子列３ｃの順に着色素子３が配列して配置されている。そして、赤色素子列３ａ、青色素子列３ｂ、緑色素子列３ｃが、図中の上から下へ、この順番を繰り返してストライプ状に配置されている。
【００２３】
着色素子３は格子状に形成された遮光部としての隔壁（バンク）４を備えている。隔壁４は、基板２上にスパッタリングや蒸着などの方法により形成された金属膜４ａと、その金属膜上に樹脂材料により形成された壁部４ｂとにより構成され、金属膜４ａにより隔壁４を光が透過しないようになっている。なお、隔壁４を、着色された樹脂材料によって形成した壁部４ｂにより形成する構成としてもよい。
隔壁４によって略矩形に区画された場所には、赤色着色膜５ａ、青色着色膜５ｂ、緑色着色膜５ｃ等の光透過部としての着色膜５が形成されている。赤色素子列３ａの着色素子３には赤色着色膜５ａが形成され、青色素子列３ｂ、緑色素子列３ｃにはそれぞれ青色着色膜５ｂ、緑色着色膜５ｃが形成されている。これにより、カラーフィルター１には、光透過部として赤色着色膜５ａ、青色着色膜５ｂ、緑色着色膜５ｃが、所定方向、および該所定方向と交差する交差方向に複数並んで形成されている。各着色膜５ａ〜５ｃは、各着色膜５ａ〜５ｃの形成材料となる機能性液体を液滴吐出法により光透過部に吐出して着弾させ、それを定着させることにより形成される。
【００２４】
基板２の着色素子３形成面において、光透過部としての各着色膜５ａ〜５ｃの周縁部近傍には、略矩形状の各着色膜５ａ〜５ｃの所定方向および該所定方向と交差する交差方向のうち、少なくとも一方の長さを複数段階に分ける目盛り９０が設けられている。本実施形態では、各着色膜５ａ〜５ｃの所定方向および交差方向の四辺の全てにおいて、各辺の長さを複数に分けて検知可能な目盛り９０が、遮光部としての隔壁４に設けられている。
なお、目盛り９０は、金属膜４ａ上、または、壁部４ｂ上のいずれに設けてもよい。
また、目盛り９０は図２に示すような大目盛りと小目盛りを規則正しく配置したものに限らず、目盛り間隔や目盛りの大きさを不規則に配置するものであってもよい。
【００２５】
（液滴吐出装置）
次に、基板２に液滴を吐出して着色膜５を形成する液滴吐出装置６について図３に従って説明する。液滴吐出装置に関しては様々な種類の装置があるが、インクジェット法を用いた装置が好ましい。インクジェット法は微小な液滴の吐出が可能であるため、微細加工に適している。
【００２６】
図３（ａ）は、カラーフィルター１の製造に係る液滴吐出装置６の構成を示す概略斜視図である。液滴吐出装置６により液滴が吐出される。
図３（ａ）に示すように、液滴吐出装置６には直方体形状に形成された基台７を備えている。本実施形態では、この基台７の長手方向をＹ方向とし水平面上でＹ方向と直交する方向をＸ方向とする。そして、鉛直方向をＺ方向とする。液滴を吐出するときに液滴吐出ヘッド２２と被吐出物とが相対移動する方向を主走査方向とする。そして、主走査方向と直交する方向を副走査方向とする。副走査方向は改行するときに液滴吐出ヘッド２２と被吐出物とが相対移動する方向である。本実施形態ではＹ方向を主走査方向とし、Ｘ方向を副走査方向とする。
【００２７】
基台７の上面７ａには、Ｙ方向に延在する一対の案内レール８がＹ方向全幅にわたり凸設されている。その基台７の上側には、一対の案内レール８に対応する図示しない直動機構を備えたステージ９が取付けられている。そのステージ９の直動機構にはリニアモーターやネジ式直動機構等の機構を用いることができる。本実施形態では、例えば、リニアモーターを採用している。そして、ステージ９はＹ方向に沿って所定の速度で往動または復動するようになっている。往動と復動を繰り返すことを走査移動と称す。さらに、基台７の上面７ａには案内レール８と平行に主走査位置検出装置１０が配置され、主走査位置検出装置１０によりステージ９の位置が検出される。
【００２８】
そのステージ９の上面には載置面１１が形成され、その載置面１１には図示しない吸引式の基板チャック機構が設けられている。載置面１１上には基板２が設置され、基板２は基板チャック機構により載置面１１に固定されている。この基板２には隔壁４が形成されている。
【００２９】
基台７のＸ方向両側には一対の支持台１２が立設され、その一対の支持台１２にはＸ方向に延びる案内部材１３が架設されている。その案内部材１３の上側には吐出する機能液２６を供給可能に収容する収容タンク１４が設置されている。収容タンク１４には染料または顔料を含む機能液２６が収納されている。
【００３０】
案内部材１３の下側にはＸ方向に延びる案内レール１５がＸ方向全幅にわたって設置されている。案内レール１５に沿って移動可能に取り付けられるキャリッジ１６は略直方体形状に形成されている。そのキャリッジ１６は直動機構を備え、その直動機構は、例えば、ステージ９が備える直動機構と同様の機構を用いることができる。そして、キャリッジ１６が案内レール１５に沿って走査移動する。案内部材１３とキャリッジ１６との間には副走査位置検出装置１７が配置され、キャリッジ１６の位置が計測される。キャリッジ１６の下側にはヘッドユニット１８が設置され、このヘッドユニット１８のステージ９側には図示しない液滴吐出ヘッド２２が凸設されている。
【００３１】
また、ヘッドユニット１８には着弾位置ずれ量検知装置１９が配置されている。この着弾位置ずれ量検知装置１９は、ＣＣＤカメラ等の撮像手段などにより構成され、液滴吐出ヘッド２２から吐出される液滴の着弾位置を検知する機能を備えている。
【００３２】
図３（ｂ）は、液滴吐出ヘッド２２の配置を示す模式平面図である。図３（ｂ）に示すように、１つのヘッドユニット１８には、３個の吐出部としての液滴吐出ヘッド２２がＹ方向において等間隔に配列して配置されている。３個の液滴吐出ヘッド２２には赤色、青色、緑色の機能液２６が供給されている。そして、この各色の機能液２６を吐出する液滴吐出ヘッド２２はそれぞれＸ方向に千鳥状に配列して配置されている。
【００３３】
そして、液滴吐出ヘッド２２の表面にはノズルプレート２３が配置され、ノズルプレート２３にはノズル２４が複数形成されている。ノズル２４の数や配列は吐出するパターンと基板２の大きさに合わせて設定すればよい。本実施形態においては、例えば、１個のノズルプレート２３にはノズル２４の配列が１列形成され、各列には１５個のノズル２４が配置されている。
【００３４】
図３（ｃ）は、液滴吐出ヘッド２２の構造を説明するための要部模式断面図である。図３（ｃ）に示すように、液滴吐出ヘッド２２は、ノズルプレート２３を備え、ノズルプレート２３には、ノズル２４が形成されている。ノズルプレート２３の図中上側であって、ノズル２４と対向する位置には、ノズル２４と連通する圧力室としてのキャビティ２５が形成されている。そして、液滴吐出ヘッド２２のキャビティ２５には、収容タンク１４に貯留されている液状体としての機能液２６が図示しない流路を介して供給される。
【００３５】
キャビティ２５の上側には、上下方向（Ｚ方向）に振動して、キャビティ２５内の容積を拡大縮小する振動板２７と、上下方向に伸縮して振動板２７を振動させる駆動素子としての圧電素子２８が配設されている。そして、液滴吐出ヘッド２２が圧電素子２８を制御駆動するための素子駆動信号を受けると、圧電素子２８が伸縮する。これにより、振動板２７がキャビティ２５内の容積を拡大縮小してキャビティ２５を加圧する。その結果、液滴吐出ヘッド２２のノズル２４から、縮小した容積分の機能液２６が液滴２９として吐出される。
【００３６】
図４は、液滴吐出装置６の電気制御ブロック図である。図５に示すように、液滴吐出装置６は液滴吐出装置６の動作を制御する制御部としての制御装置４１を備えている。そして、制御装置４１はプロセッサーとして各種の演算処理を行うＣＰＵ（中央演算処理装置）４２と、各種情報を記憶する記憶部としてのメモリー４３とを備えている。
【００３７】
主走査駆動装置４４、主走査位置検出装置１０、副走査駆動装置４５、副走査位置検出装置１７は、入出力インターフェイス４６及びデータバス４７を介してＣＰＵ４２に接続されている。さらに、液滴吐出ヘッド２２を駆動するヘッド駆動回路４８、着弾位置ずれ量検知装置１９、入力装置４９、表示装置５０も入出力インターフェイス４６及びデータバス４７を介してＣＰＵ４２に接続されている。
【００３８】
主走査駆動装置４４はステージ９の移動を制御する装置であり、副走査駆動装置４５はキャリッジ１６の移動を制御する装置である。主走査位置検出装置１０がステージ９の位置を検出し、主走査駆動装置４４がステージ９を駆動することにより、ステージ９を所望の位置に移動及び停止することが可能になっている。同じく、副走査位置検出装置１７がキャリッジ１６の位置を検出し、副走査駆動装置４５がキャリッジ１６を駆動することにより、キャリッジ１６を所望の位置に移動及び停止することが可能となっている。
【００３９】
入力装置４９は液滴２９を吐出する各種加工条件を入力する装置であり、例えば、基板２に液滴２９を吐出する座標を図示しない外部装置から受信して入力する装置である。表示装置５０は加工条件や作業状況を表示する装置であり、操作者は表示装置５０に表示される情報を基に入力装置４９を用いて操作を行う。
【００４０】
メモリー４３は、ＲＡＭ、ＲＯＭ等といった半導体メモリーや、ハードディスク、ＤＶＤ−ＲＯＭといった外部記憶装置を含む概念である。機能的には液滴吐出装置６における動作の制御手順が記述されたプログラムソフト５１を記憶する記憶領域が設定される。さらに、基板２上に吐出する吐出位置の座標データである吐出位置データ５２を記憶するための記憶領域も設定される。
【００４１】
他にも、液滴吐出ヘッド２２を駆動するときの駆動波形と吐出量の関係を示すデータである駆動電圧データ５３や液滴吐出ヘッド２２を駆動する駆動波形データ５４等の吐出条件を複数記憶するための記憶領域が設定される。さらに、吐出する各場所における駆動電圧のデータである吐出計画データ５５を記憶するための記憶領域が設定される。さらに、ＣＰＵ４２のためのワークエリアやテンポラリーファイル等として機能する記憶領域やその他各種類の記憶領域が設定される。
【００４２】
ＣＰＵ４２は、メモリー４３内に記憶されたプログラムソフト５１に従って基板２上の所定の位置に液滴２９を吐出するための制御を行うものである。具体的な機能実現部として、液滴吐出ヘッド２２から液滴２９を吐出して描画するための制御を行う描画制御部５６を有する。描画制御部５６を詳しく分割すれば、描画制御部５６はステージ９を主走査方向へ所定の速度で走査移動させるための制御を行う主走査制御部５７を有する。他にも、描画制御部５６は液滴吐出ヘッド２２を副走査方向へ所定の副走査量で移動させるための制御を行う副走査制御部５８を有する。さらに、描画制御部５６は液滴吐出ヘッド２２内に複数あるノズルのうち、どのノズルに対応する液滴吐出ヘッド２２を作動させて液滴２９を吐出するかを制御する吐出制御部５９等といった各種の演算部や制御部を有する。
【００４３】
他にも、液滴吐出ヘッド２２及び着弾位置ずれ量検知装置１９により検知した適正ドット着弾位置に対する確認用ドットの実際の着弾位置とのずれ量に基づいて取得する補正値を描画制御部５６にフィードバックして、液滴吐出ヘッド２２が吐出する液滴２９の基板２への着弾位置を補正する着弾位置補正制御部６０を有する。さらに、塗布領域に吐出する機能液２６の量と吐出特性からノズル２４から吐出する液滴２９の吐出量と吐出回数を設定する吐出条件設定部６１を有する。他にも液滴２９を吐出する各場所における圧電素子２８の駆動波形を設定する吐出計画設定部６２を有する。
【００４４】
（描画方法）
次に、上述した液滴吐出装置６を使って、液滴吐出ヘッド２２から基板２に吐出して描画する描画方法について図面に沿って説明する。図５は、液滴吐出装置６を用いてカラーフィルターを製造する製造工程を示すフローチャートである。
【００４５】
まず、図５のステップＳ１において、オペレーターは、基板２をステージ９の載置面１１上に載置する。基板２には予め隔壁４が形成されている。隔壁４は、スパッタリングや蒸着などにより金属膜４ａを、フォトリソグラフィーなどの方法を用いて壁部４ｂを、それぞれ形成することにより製造することができる。尚、隔壁４を液滴吐出装置６を用いて形成することもできる。
液滴吐出装置６は吸引式の基板チャック機構を駆動させることにより基板２を載置面１１に固定する。
そして、基板２が載置されたステージ９を、主走査位置検出装置１０を用いて、基板２が液滴吐出ヘッド２２のノズル面と対向し次のステップの確認用ドット形成を行なえるポジションになるまで移動させ、給材は完了する。
【００４６】
次に、ステップＳ２において、基板２の隔壁４によって略矩形に区画された光透過部としての着色膜５形成領域に、液滴吐出ヘッド２２のノズル２４から液体を吐出して、１ドットもしくは複数ドットの確認用ドットを形成する。確認用ドットの形成は、液滴吐出ヘッド２２のノズル面にインクや異物が付着したり、ノズル２４が目詰まりしたりすることによって、ドット着弾位置が所定の適正ドット着弾位置からずれているか否か、また、ずれている場合は、どれくらいずれているかを検知する目的で行なう。
【００４７】
次に、ステップＳ３において、着色膜５形成領域に着弾した確認用ドットの位置と、所定の適正ドット着弾位置とのずれ量を検知する。本実施形態のカラーフィルター１の基板２には、各色の着色膜５形成領域を囲む隔壁４形成領域に、略矩形の着色膜５形成領域の外形四辺の長さを複数段階に分けて表示する目盛り９０が設けられているので、着色膜５形成領域に着弾した確認用ドットの位置が、所定の適正ドット着弾位置に対してずれているか否か、また、ずれている場合はどれくらいずれているかを定量的に検知することができる。確認用ドットの着弾位置のずれ量の検知は、ＣＣＤカメラ等の撮像手段などにより構成された着弾位置ずれ量検知装置１９を用いて行なうことができるが、着弾位置ずれ量検知装置として拡大鏡を適用し、人の目によって目盛り９０を用いて着弾位置のずれ量を検知することもできる。
【００４８】
次に、前のずれ量検知ステップ（ステップＳ３）で検知した所定の適正ドット着弾位置に対する確認用ドットの着弾位置のずれ量に基づいて、確認用ドットの着弾位置を所定の適正ドット着弾位置に補正し得る補正値を取得し（ステップＳ４）、その補正値を液滴吐出装置６にフィードバックして制御する補正制御を行なう（ステップＳ５）。
【００４９】
次に、ステップＳ６において、描画制御部５６はステージ９とキャリッジ１６とを駆動させることにより液滴２９を吐出する場所と対向する場所に液滴吐出ヘッド２２を移動させる。そして、吐出制御部５９は、補正出制御（ステップＳ５）により求められた補正値を反映させた吐出条件にてノズル２４から塗布領域である各色の着色膜５形成領域に所定の色の機能液２６の液滴２９を吐出して描画をおこない、カラーフィルター１を形成する。
【００５０】
ステップＳ７の描画の終了判断工程において、予定した総ての場所に液滴２９を吐出したことを確認するまでステップＳ１１の描画工程が行われる。
ここで、次の描画を続けて実行する場合（ステップＳ７でＹＥＳ）、次の描画の前に着弾ドット位置の確認が必要か否かを判断する（ステップＳ８）。なお、着弾ドット位置確認の頻度は、事前の確認結果に基づいて所定の描画回数毎に実施するように予め設定しておいてもよい。
吐出工程（ステップＳ６）の前に着弾ドット位置確認をする場合（ステップＳ８でＹＥＳ）は、ステップＳ２の確認用ドット形成からの描画工程Ｓ１１を行なう。
また、着弾ドット位置確認をしない場合（ステップＳ８でＮＯ）は、ステップＳ６の吐出工程からの描画工程Ｓ１１を行なう。
【００５１】
ステップＳ７において、予定した総ての場所に液滴２９を吐出して、その次に描画を実行しない（ステップＳ７でＮＯ）、ステップＳ９の除材工程に移行する。ステップＳ９では、オペレーターが基板チャック機構を解除して基板２を載置面１１から次工程（ステップＳ１０）に移動する。
ステップＳ１０では、描画工程Ｓ１１で基板２に塗布された液体の固化を行なう。固化工程では、例えば、機能液２６が塗布された基板２を乾燥装置の内部の乾燥室内の載置台（図示せず）に配置し、乾燥室内に乾燥気体を供給する。次に、乾燥気体は基板２に塗布された機能液２６に沿って流動し、このとき、機能液２６に含まれる溶媒及び分散媒を乾燥気体に蒸発させて除去することにより、機能液２６を乾燥させる。そして、機能液２６が乾燥することにより、着色膜５が形成される。
以上、説明した工程を経て、基板２に液滴２９を吐出してカラーフィルター１を製造する製造工程を終了する。
【００５２】
上述したように、本実施形態によれば、光透過部として着色膜５形成領域の周縁部近傍に、略矩形の着色膜５形成領域の外形各辺の長さを複数段階に分けて表示する目盛り９０が設けられている。そして、液滴吐出装置６を用いたカラーフィルター１の製造工程において、描画を行なう吐出工程（ステップＳ６）の前に、着色膜５形成領域に液滴２９を吐出して確認用ドットを形成するステップ（ステップＳ２）と、所定の適正ドット着弾位置に対する確認用ドットの着弾位置のずれ量を目盛り９０を用いて定量的に検知するずれ量検知ステップ（ステップＳ３）と、ずれ量検知ステップで検知したずれ量に基づいてドットの着弾位置を前記所定の適正ドット着弾位置に補正する補正値を取得する補正値取得ステップ（ステップＳ４）と、補正値を液滴吐出装置６にフィードバックする補正制御ステップ（ステップＳ５）とを含んでいる。
これにより、確認用ドットの着弾位置と、所定の適正着弾位置とのずれ量を、基板２そのものに設けられた目盛り９０を用いて定量的に検知することができ、検知した着弾位置のずれ量を補正し得る補正値を取得して液滴吐出装置６にフィードバックすることができる。したがって、テスト印刷用のダミー基板を別に用意することなく、また、基板２にテスト印刷領域を設けることなく、液滴吐出ヘッド２２から吐出する液滴２９の着弾位置を所定の適正位置に精度よく補正することが可能になるので、安定した表示品質を有する表示装置を効率的に製造することが可能なカラーフィルター１の製造方法を提供することができる。
【００５３】
また、本実施形態によれば、目盛り９０が、基板２の遮光部としての隔壁４形成領域に形成されている。基板２の遮光部はカラーフィルター１の実質的な表示品質には影響しないので、表示品質を劣化させることなく、目盛り９０を用いた液滴２９の着弾位置の補正をすることが可能になる。
【００５４】
（第２の実施形態）
図６は、第２の実施形態に係るカラーフィルターの一部（図２と同じ部分）を拡大して示す模式平面図である。なお、本実施形態が第１の実施形態と異なるところは、図２に示した目盛り９０の形成位置が異なる点にあるので、第１の実施形態と同じ点については同一符号を付して説明を省略する。
【００５５】
図６に示すように、第２の実施形態の表示装置としてのカラーフィルター１０１は、基板２の着色素子３形成面において、各着色膜５形成領域の所定方向および交差方向の四辺の全てにおいて、各辺の長さを複数に分けて検知可能な目盛り９１が、光透過部としての着色膜５形成領域に設けられている。目盛り９１は、カラーフィルター１０１の所望の表示品質を損ねないように、矩形の着色膜５形成領域の周縁部に、極力小さめに設けられている。
【００５６】
液滴吐出装置６を用いたインクジェット法によりカラーフィルターの製造を行なう場合、隔壁４（バンク）の表面には撥液処理を施すことが多い。第２の実施形態のカラーフィルター１０１によれば、撥液処理が施された隔壁４の表面ではなく基板２の着色膜５形成領域の一部に目盛り９１を形成するので、基板２との密着力が確保された目盛り９１を形成することができるので、目盛り９１の剥離するなどの不具合が抑えられる。
【００５７】
（第３の実施形態）
図７は、第３の実施形態に係る表示装置としてのカラーフィルター２０１の一部（図２、図６と同じ部分）を拡大して示す模式平面図である。なお、本実施形態が第１および第２の実施形態と異なるところは、光透過部としての着色膜５’形成領域の外形に意図した変化を設けて目盛りとした点にあるので、第１および第２の実施形態と同じ点については同一符号を付して説明を省略する。
【００５８】
図７に示すように、第３の実施形態の表示装置としてのカラーフィルター２０１は、基板２の着色素子３形成面において、光透過部としての着色膜５’形成領域の略矩形状の外形において、各辺が直線状ではなく、意図した間隔で形成された複数の屈曲部を有している。そして、この着色膜５’形成領域の外形の各辺に設けられた複数の屈曲部を目盛り９２として用いる。
この着色膜５’の外形形状の変化は、カラーフィルター２０１の所望の光学特性を損ねないレベルで設計されている。
なお、ここでは光透過部としての着色膜５’形成領域の外形形状の変化を目盛り９２として利用すると記したが、光透過部を区画する遮光部としての隔壁４の外形形状を変化させて形成すると換言することもできる。
また、本実施形態では、着色膜５’形成領域の外形形状に複数の屈曲部を設けて目盛り９２を形成したが、これに限らず、例えば、外形形状に円弧を含む変化をつけて目盛りを形成してもよい。
【００５９】
第３の実施形態によれば、インクや金属薄膜、あるいは罫書きするなどの加工を別に施すことをしなくても、光透過部としての形成領域の外形形状の非直線的な変化を目盛り９２とすることにより、液体（液滴）の着弾位置の補正に利用することができる。
【００６０】
尚、本実施形態は上述した実施形態に限定されるものではなく、種々の変更や改良を加えることも可能である。変形例を以下に述べる。
（変形例１）
前記第１〜第３の実施形態では、光透過部としての着色膜５，５’形成領域の略矩形（状）の外形の四辺近傍に目盛り９０，９１，９２を設けた構成について説明した。これに限らず、確認用ドットの着弾位置を定量的に検知することが可能であれば、例えば対向する二辺のうち一方の辺の近傍のみに目盛りを設けてもよいし、所定方向の辺、および、所定方向と交差する交差方向のうちの一方向側にのみ目盛りを設けた構成としてもよい。
また、光透過部としての着色膜形成領域の形状は、矩形（状）に限らず、例えば、平行四辺形や、正多角形に近似な形状であってもよい。
【００６１】
（変形例２）
前記第１の実施形態では、キャビティ２５を加圧する加圧手段に、圧電素子２８を用いたが、他の方法でも良い。例えば、コイルと磁石とを用いて振動板２７を変形させて加圧しても良い。他に、キャビティ２５内にヒーター配線を配置して、ヒーター配線を加熱することにより、機能液２６を気化させたり、機能液２６に含む気体を膨張させたりして加圧しても良い。他にも、静電気の引力及び斥力を用いて振動板２７を変形させて加圧しても良い。尚、コイルやヒーター配線のように駆動する電流で吐出量を制御できる場合には、駆動波形は電流の波形でも良い。前記実施形態と同様に同時吐出ノズル数に対応して加圧手段を駆動する駆動波形を切り替えることにより吐出量を吐出目標値にすることができる。
【００６２】
（変形例３）
前記第１の実施形態では、着色する機能を有する機能液２６を塗布して、表示装置としてのカラーフィルター１を製造する例を示した。塗布する機能液２６はこれに限らない。例えば、通電性の機能液２６を塗布して配線や電極を形成しても良い。他にも、正孔輸送層や発光層の材料を含む機能液２６を塗布して有機ＥＬ（エレクトロルミネッセンス）表示装置を形成しても良い。これらの場合にも、液滴２９の着弾位置を所定の適正着弾位置に補正して描画品質を保持することができる。そして、形成される表示装置の表示品質を向上させて製造することができる。
【００６３】
（変形例４）
前記第１の実施形態では、カラーフィルター１の基板２に機能液２６を吐出して塗布したが、塗布する基材は基板２に限らず、直方体等のようにＺ方向の高さがある物や凹凸のある物にも適用することができる。この場合にも吐出目標値の液滴２９を吐出することができる。
【００６４】
＝＝＝その他の実施の形態＝＝＝
上記の実施形態は、主としてプリンターについて記載されているが、その中には、印刷装置、記録装置、液体の噴射装置、印刷方法、記録方法、液体の噴射方法、印刷システム、記録システム、コンピューターシステム、プログラム、プログラムを記憶した記憶媒体等の開示が含まれていることは言うまでもない。
【００６５】
また、一実施形態としてのプリンター等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００６６】
また、上記実施の形態においては、液体の一例であるインクを噴射（吐出）する液滴吐出装置（インクジェットプリンター）６を用いて表示装置としてのカラーフィルター１を製造する方法について詳細に説明したが、これに限定されるものではなく、インク以外の他の液体を噴射（吐出）する液体噴射（吐出）装置に具体化することも可能である。例えば、有機ＥＬディスプレイ等の他の表示装置の製造に用いることも可能である。
【００６７】
また、上記実施の形態においては、液滴吐出装置６（インクジェットプリンター）の一例として、ノズルを備えたヘッドが前記媒体に対して前記所定方向に移動して該ノズルからインクを噴射するシリアルプリンターを挙げたが、これに限定されるものではなく、例えば、ノズルを備えた移動しないラインヘッドに対し前記所定方向に移動する媒体に該ノズルからインクを噴射するラインプリンターであってもよい。
【符号の説明】
【００６８】
１，１０１，２０１…表示装置としてのカラーフィルター、２…基板、３…着色素子、３ａ…赤色素子列、３ｂ…青色素子列、３ｃ…緑色素子列、４…遮光部としての隔壁（バンク）、４ａ…金属膜、４ｂ…壁部、５…着色膜、５ａ…赤色着色膜、５ｂ…青色着色膜、５ｃ…緑色着色膜、６…液滴吐出装置、７…基台、７ａ…上面、８…案内レール、９…ステージ、１０…主走査位置検出装置、１１…載置面、１２…支持台、１３…案内部材、１４…収容タンク、１５…案内レール、１６…キャリッジ、１７…副走査位置検出装置、１８…ヘッドユニット、１９…着弾位置ずれ量検知装置、２２…液滴吐出ヘッド、２３…ノズルプレート、２４…ノズル、２５…キャビティ、２６…機能液、２７…振動板、２８…圧電素子、２９…液滴、４１…制御装置、４２…ＣＰＵ、４３…メモリー、４４…主走査駆動装置、４５…副走査駆動装置、４６…入出力インターフェイス、４７…データバス、４８…ヘッド駆動回路、４９…入力装置、５０…表示装置、５１…プログラムソフト、５２…吐出位置データ、５３…駆動電圧データ、５４…駆動波形データ、５５…吐出計画データ、５６…描画制御部、５７…主走査制御部、５８…副走査制御部、５９…吐出制御部、６０…着弾位置補正制御部、６１…吐出条件設定部、６２…吐出計画設定部。
【図１】
2014052514.tif 000003
【図２】
2014052514.tif 000004
【図３】
2014052514.tif 000005
【図４】
2014052514.tif 000006
【図５】
2014052514.tif 000007
【図６】
2014052514.tif 000008
【図７】
2014052514.tif 000009